【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
周縁部を有する窓パネル部を具備してなるモールド窓パネルアセンブリであって、前記周縁部に沿って内部モールドストリップが延在しており、前記内部モールドストリップは管部を含み、前記管部は内部通孔を含み、前記内部通孔は、前記周縁部に沿って、配給位置まで電力および／または流体を供給するために導入位置から前記配給位置まで延在しており、前記内部モールドストリップは、前記周縁部の向き合う面を係合させるための一対の離間配置長尺フランジを有する長尺な溝セクションを含んでおり、前記内部モールドストリップおよび前記周縁部上には外側周縁支持部がモールドされていることを特徴とするモールド窓パネルアセンブリ。
【請求項２】
少なくとも一つの前記内部通孔には、電力ケーブルが少なくとも１本収容されていることを特徴とする請求項１に記載のアセンブリ。
【請求項３】
少なくとも一つの前記電力ケーブルは前記通孔を実質的に占有していることを特徴とする請求項２に記載のアセンブリ。
【請求項４】
前記内部モールドストリップは、その内部の少なくとも一つの前記電力ケーブルと一体に形成されることを特徴とする請求項３に記載のアセンブリ。
【請求項５】
前記離間配置フランジは本体部から延在しており、この本体部は前記内部通孔を具備することを特徴とする請求項１に記載のアセンブリ。
【請求項６】
前記周縁部は周端部を含み、前記離間配置フランジ同士の間において前記本体部に設けられた接着層をさらに具備してなり、前記接着層は前記本体部と前記周端部との間に接合部を形成するよう配置されていることを特徴とする請求項５に記載のアセンブリ。
【請求項７】
前記周縁部は周端部を含み、前記本体部は、少なくとも一つの前記内部通孔を含むように内部空隙を形成するために、前記周端部から離間した内面を有することを特徴とする請求項５に記載のアセンブリ。
【請求項８】
複数の管部をさらに具備してなり、この管部のそれぞれが前記内部モールドストリップと係合していることを特徴とする請求項１に記載のアセンブリ。
【請求項９】
複数の前記管部には、１本以上の電力ケーブルおよび／または１本以上の流体パイプが収容されていることを特徴とする請求項８に記載のアセンブリ。
【請求項１０】
周縁部を有する窓パネル部を具備してなるモールド窓パネルアセンブリであって、前記周縁部に沿って内部モールドストリップが延在しており、前記内部モールドストリップは管部を含み、前記管部は少なくとも一つの内部通孔を含み、前記内部通孔は、前記周縁部に沿って、配給位置まで電力および／または流体を供給するために導入位置から前記配給位置まで延在しており、前記内部モールドストリップは、前記周縁部の向き合う面を係合させるための離間配置長尺フランジの対を有する長尺な溝セクションを含んでおり、前記内部モールドストリップおよび前記周縁部上には外側周縁支持部がモールドされており、前記周縁部に隣接して動力式付属ユニットが配設されており、少なくとも一つの前記内部通孔は前記動力式付属ユニットへ電力を供給するために少なくとも一つの電力ケーブルを含んでいることを特徴とするモールド窓パネルアセンブリ。
【請求項１１】
前記動力式付属ユニットは窓ワイパーユニットであることを特徴とする請求項１０に記載のアセンブリ。
【請求項１２】
前記電力ケーブルは前記通孔を実質的に占有していることを特徴とする請求項１１に記載のアセンブリ。
【請求項１３】
前記離間配置フランジは本体部から延在しており、この本体部は前記内部通孔を具備することを特徴とする請求項１０に記載のアセンブリ。
【請求項１４】
前記窓パネル部は周端部を有すると共に、前記離間配置フランジ間において本体部に配置された接着層をさらに具備してなり、前記接着層は、前記本体部と前記周端部との間の接合部を形成するよう配置されていることを特徴とする請求項１３に記載のアセンブリ。
【請求項１５】
前記本体部は、少なくとも一つの前記内部通孔を含むように内部空隙を形成するために、前記周端部から離間した内面を有することを特徴とする請求項１４に記載のアセンブリ。
【請求項１６】
複数の管部をさらに具備してなり、この管部のそれぞれが前記内部モールドストリップと係合していることを特徴とする請求項１０に記載のアセンブリ。
【請求項１７】
複数の前記管部は、１本以上の電力ケーブルおよび／または１本以上の流体パイプを含むことを特徴とする請求項１６に記載のアセンブリ。
【請求項１８】
モールド窓パネルアセンブリを製造するための方法であって、
周縁部を有する窓パネル部を提供するステップと、
前記周縁部に沿って延在するよう、前記周縁部上に内部モールドストリップを配置するステップであって、前記内部モールドストリップは少なくとも一つの内部通孔を有する管部を含み、前記内部通孔は、前記周縁部に沿って、配給位置まで電力および／または流体を供給するために導入位置から前記配給位置まで延在しているものであるステップと、
前記周縁部に隣接する成形空隙を備えた型内に前記窓パネル部を配置するステップと、
前記周縁部の少なくとも一部分に外側周縁支持部を形成すると共に前記内部モールドストリップを包埋するように、前記成形空隙内に流動可能なモールド材料を供給するステップと、
前記型から前記窓パネル部を引き抜くステップと、を具備することを特徴とするモールド窓パネルアセンブリの製造方法。
【請求項１９】
少なくとも１本の電力ケーブル、流体ホース、アンテナ、および／または補強ケーブルを少なくとも一つの前記内部通孔内に配置するステップをさらに具備することを特徴とする請求項１８に記載の方法。
【請求項２０】
前記電力ケーブルは実質的に前記内部通孔を占有することを特徴とする請求項１９に記載の方法。
【請求項２１】
内部に少なくとも一つの前記内部通孔を有する本体部を備えた前記内部モールドストリップを形成するステップをさらに具備することを特徴とする請求項２０に記載の方法。
【請求項２２】
前記内部通孔内に配置された少なくとも一つの前記電力ケーブルと一緒に前記内部モールドストリップを一体的に形成するステップをさらに具備することを特徴とする請求項２０に記載の方法。
【請求項２３】
前記離間配置フランジ間において前記本体部に接着層を設けるステップをさらに具備し、前記接着層によって前記本体部と前記窓パネル部の周端部との間に接合部を形成することを特徴とする請求項２１に記載の方法。
【請求項２４】
本体部を備えた前記内部モールドストリップを形成するステップと、
接着層によって前記本体部と前記窓パネル部の周端部との間に接合部が形成されるよう、前記接着層を前記離間配置フランジ間において前記本体部に設けるステップと、
少なくとも一つの前記内部通孔を含むよう内部空隙を形成するために、前記周端部から離間した内面を備えた前記本体部を配置するステップと、をさらに具備することを特徴とする請求項１８に記載の方法。
【請求項２５】
少なくとも一つの前記内部通孔内に電力ケーブルを配置するステップをさらに具備することを特徴とする請求項２４に記載の方法。
【請求項２６】
複数の管部を前記空隙内において位置決めするステップをさらに具備することを特徴とする請求項２５に記載の方法。
【請求項２７】
複数の前記管部は、１本以上の電力ケーブルおよび／または１本以上の流体パイプを含むことを特徴とする請求項２６に記載の方法。